(57)【要約】      （修正有）【課題】一枚の容器形成シートから形成される折畳み容器の剛性を向上することで形状の保持を確実なものとし、取り扱い性の向上を図った折畳み容器を提供する。【解決手段】防水加工を施した紙又は樹脂による一枚のシート上に曲線による折り曲げ線ａ、ｅ、ｇ、ｈ、ｉを設け、それら折り曲げ線に沿って折畳むことによって得られる曲面化された構成面１、２、６の相互に働く張力を利用して容器の剛性を確保し、取り扱い性の向上をはかる。【選択図】図１
0003142609.tif 000002
【実用新案登録請求の範囲】
【請求項１】
防水加工を施した紙又は樹脂による一枚のシート上に外周線が外向きに膨らんだ曲線で構成される底面部、底面部の外周縁を内線且つ折り曲げ線として連接される側面部、内線と同様に外向きに膨らんだ側面部の外線を折り曲げ線として連接される周縁部から成る容器の基本的な構成面と、隣接する側面部の間に側面部の側縁線とそれら側沿線によって挟まれる角度の二等分線を折り曲げ線とする折り込み部を設定することで底面部、側面部、周縁部、折り込み部が切れ目無く一体的に連続展開することとなり、それら各面部を各々の折り曲げ線に沿って順次折畳むことで、折り曲げ線を共有する底面部と側面部、側面部と周縁部は相互に張力の働いた曲面形状を成して容器自体の剛性を確保すると同時に、外側下向き方向の曲面を成す周縁部は容器開口部の剛性強化と、折り込み部を側面部との間で挟み込こんで、折り込み部が展開状態に復元しようとする力を抑止して、安定した形状を保持することにより、取り扱い性の向上を図った折畳み容器。
【請求項２】
隣接する周縁部の一方の端部に設けた多角形の連結片を１８０度折り返してもう一方の周縁部を巻き込み、折畳んだ折り込み部外周縁との間に差し込んで容器を構成する各面部が展開状態に復元しようとする力を抑止して、容器に負荷がかかった状態でも安定した形状を確実に保持することにより、取り扱い性の向上を図った請求項１に記載の折畳み容器
。
【請求項３】
隣接する周縁部の各々の端部に半円形の穴と対称形の半円形の切れ込みから成る連結片を設け、半円形の切れ込み連結片をもう一方の半円形の穴に差し込んで固定し、容器を構成する各面部が展開状態に復元しようとする力を抑止して、容器に負荷がかかった状態でも安定した形状を確実に保持することにより、取り扱い性の向上を図った請求項１に記載の折畳み容器。
【考案の詳細な説明】
【技術分野】
【０００１】
本考案は一枚の容器形成シートからなる剛性を強化した折畳み容器に関する。
【背景技術】
【０００２】
特許文献１や、特許文献２に記載されているようなシート状の素材を折り曲げ、組み立てることによって形成された箱状の容器は従来から様々な用途に使用されている。
【特許文献１】実開平６−７６０２５号公報
【特許文献２】実登３０９４８１１号公報
【考案の開示】
【考案が解決しようとする課題】
【０００３】
しかしながら、従来の折畳み容器は一般的に平面を主体とした底面部とその周辺を取り囲む側面部を折り曲げ、組み立てることによって形成されているが、結果的に容器自体の剛性が不足し、安定した形状を保持することが難しい。
【課題を解決するための手段】
【０００４】
このような課題の解決を目的とした本考案の折畳み容器は、防水加工を施した紙又は樹脂による一枚のシート上に外周線が外向きに膨らんだ曲線で構成される底面部、底面部の外周縁を内線且つ折り曲げ線として連接される側面部、内線と同様に外向きに膨らんだ側面部の外線を折り曲げ線として連接される周縁部から成る容器の基本的な構成面と、隣接する側面部の間に側面部の側縁線とそれら側沿線によって挟まれる角度の二等分線を折り曲げ線とする折り込み部を設定することで底面部、側面部、周縁部、折り込み部が切れ目無く一体的に連続展開することとなり、それら各面部を各々の折り曲げ線に沿って順次折畳むことで、折り曲げ線を共有する底面部と側面部、側面部と周縁部は相互に張力の働いた曲面形状を成して容器自体の剛性を確保すると同時に、外側下向き方向の曲面を成す周縁部は容器開口部の剛性強化と、折り込み部を側面部との間で挟み込んで、折り込み部が展開状態に復元しようとする力を抑止して、安定した形状を保持することにより、取り扱い性の向上を図った折畳み容器である。  
【０００５】
隣接する周縁部の一方の端部に設けた多角形の連結片を１８０度折り返してもう一方の周縁部を巻き込み、折畳んだ折り込み部外周縁との間に差し込んで、容器を構成する各面部が展開状態に復元しようとする力を抑止して、容器に負荷がかかった状態でも安定した形状を確実に保持することにより、取り扱い性の向上を図った折畳み容器とすることである。
【０００６】
隣接する周縁部の各々の端部に半円形の穴と対称形の半円形の切れ込みから成る連結片を設け、半円形の連結片をもう一方の半円形の穴に差し込んで、容器を構成する各面部が展開状態に復元しようとする力を抑止して、容器に負荷がかかった状態でも安定した形状を確実に保持することにより、取り扱い性の向上を図った折畳み容器とすることである。
【考案の効果】
【０００７】
曲線で折畳まれることによって曲面化された容器構成面は素材の弾性を引き出して、折り曲げ線部を共有する底面部と側面部、側面部と周縁部が相互に張力の働いた状態を保つことにより容器の剛性向上に貢献し、安定した使用状況を提供する。
【０００８】
外側下向き方向の曲面となった周縁部は容器開口部の剛性を強化すると同時に、折畳まれた折り込み部を側面部との間で挟み込むことで、折り込み部が展開状態に復元しようとする力を抑止して形状を保持する役割も担う。その結果、容器にかかる負荷が軽微な状況下における容器としての使用に際しては、付加的な固定具を省略することが可能である。
【０００９】
切れ目無く一体的に連続展開された一枚のシートから形成されることで、液体の漏出を防止した防水容器としての利用が可能である。
【００１０】
曲面化された底面部のテーブル等との接触は点、或いは線接触となり、接触面積を減少することで、底面部からの放熱効果による内容物の温度変化を最小に抑える効果が期待できる。
【００１１】
容器内面が周縁部の表面まで連続する構成により、結果的に容器の厚み感が増して、従来製品の平板な印象とは異なる立体感のある容器としての表現が可能となった。
【考案を実施するための最良の形態】
【００１２】
以下、本考案の実施形態例を図面に基づいて説明する。
【実施例１】
【００１３】
図１〜図４は本考案に係わる一枚のシートによって形成される実施形態例１の折畳み容器の展開図と折畳み方法を示す図面である。図１〜図４に基づき実施形態例１の折畳み容器について説明する。
【００１４】
各辺ａが外向きに膨らんだ曲線によって構成される底面部１とその各辺ａを内折線として連接される側面部２、同様に外向きに膨らんだ外辺ｅを外折線として連接される周縁部６によって容器の基本的な形状は構成される。
【００１５】
各側面部２は側辺ｇ、ｈを外折線とした折込み部８が連接されている。前記折込み部８は底面部１の頂点を起点として折込み部８の頂角を二等分する内折線ｉを有し、その内折線ｉの長さは折込み部８を外折線ｇ、ｈと内折線ｉにおいて折畳んで側面部２に重ねた時に内折線ｉの先端が外折線ｅと一致する長さとする。
【００１６】
各折線で折畳むことによって形成される容器の主たる構成要素である底面部１、側面部２、周縁部６は素材の弾性を有効に引き出して相互に張力が働いた曲面を成し、容器自体の剛性を確保することが可能となる。特に外側下向きの曲面を成した周縁部６は容器開口部の剛性の向上と、折込み部８を側面部２との間で押さえ込むことで付加的な固定具を用いること無く、容器自体の形状を保持する役割を担い、安定した使用状況を確保する。
【実施例２】
【００１７】
図５〜図８は本考案に係わる一枚のシートによって形成される実施形態例２の折畳み容器の展開図と折畳み方法を示す図面である。図５〜図８に基づき実施形態例２の折畳み容器について説明する。
【００１８】
各辺ａ、ａ、ｂ、ｂが曲線によって構成される底面部１とその各辺ａ、ｂを内折線として連接される側面部２、３及び側面部２の外辺ｅと側面部３の外辺ｆを外折線として連接される周縁部６，７により容器の基本的な形状は構成される。
【００１９】
隣接する側面部２，３にはそれぞれの側辺ｇ、ｈと側面部３の外辺ｆの延長線を外周縁とする扇形の折込み部８が連接している。前記折込み部８は底面部１の頂点を起点として折込み部８の頂角の二等分線ｉを有する。底面部１のｂ辺と側面部３の外辺ｆは同心円の一部であり、折込み部８の頂角の二等分線ｉは同心円の中心点から垂直線に対して４５度の角度を成す直線上に位置する。
【００２０】
二等分線ｉを内折線、側辺ｇ、ｈを外折線として折畳むと各側辺の端点ｑ、ｒは一致することとなる。同時に周縁部６を側面部２の外辺ｅで、周縁部７を側面部３の外辺ｆで外側下方に折畳み、巻き込み部１１の外折れ線ｎと周縁部６の外辺ｐが重なる位置で巻き込み部１１を周縁部６の裏面まで１８０度折り返して折込み部８の外周縁との間に差し込む。
【００２１】
このように形成された容器の主たる構成要素である底面部１、側面部２，側面部３、周縁部６、周縁部７は素材の弾性を有効に引き出して相互に張力が働いた曲面を成し、容器自体の剛性を確保することが可能となる。折畳まれた巻き込み部１１は周縁部６、周縁部７の動きを規制し、各面部が展開状態に復元しようとする力を抑止することで形状の保持は確実なものとなり、より安定した使用状況が確保される。
【実施例３】
【００２２】
図９〜図１２は本考案に係わる一枚のシートによって形成される実施形態例３の折畳み容器の展開図と折畳み方法を示す図面である。図９〜図１２に基づき実施形態例３の折畳み容器について説明する。
【００２３】
各辺ａ、ａ、ｃ、ｄが曲線で構成される底面部１とその各辺ａ、ａ、ｃ、ｄを内折線として連接される側面部２、前方側面部４、後方側面部５、及び側面部２の外辺ｅを外折線として連接される周縁部７によって容器の基本的な形状は構成される。更に側面部２と前方側面部４は各々の側辺ｊを介して折込み部９が連接される。同様に側面部２と後方側面部５の間にも各々の側辺ｌを介して折込み部１０が連接される。
【００２４】
折込み部９、１０は底面部の頂点を起点として折込み部の頂角の二等分線ｋ、ｍを有し、各々の長さは折込み部を外折線ｊ、ｌおよび内折線ｋ、ｍで折畳んで側面部２に重ねた時に先端が周縁部７の外折線ｅに一致する長さとする。
【００２５】
周縁部７は最終的には把手としての機能を担うこととなる為、後部に指の引っ掛かりとする円形の穴１３を設けている。更に外折線ｏを介して保持部１２を連接する。前記保持部１２には半円形の引っ掛け穴１４を、反対側の保持部１２には対称形の半円弧状の切れ込み１５を設けて各々を引っ掛けて保持部を固定する。前記保持部１２は容器完成時には後方側面部５に接して容器を持ち上げた際のフラつきを抑え、安定した状態を確保する役割を果たす。
【００２６】
各折線で折畳むことによって形成される容器の主たる構成要素である底面部１、側面部２、周縁部７は素材の弾性を有効に引き出して相互に張力の働いた曲面を成し、容器自体の剛性を確保することが可能となる。特に外側下向きの曲面となった周縁部７は容器開口部の剛性の向上と、側面部２との間で折込み部９、１０を押さえ込むことで容器自体の形状を保持する役割を担い、安定した使用状況を確保する。
【産業上の利用可能性】
【００２７】
収納性、繰り返して使用できる特性を活かして、非常用あるいはアウトドア用の食器としての使用が考えられる。更に、インテリア雑貨として日常生活での小物入れ等の容器としても活用できる。
【図面の簡単な説明】
【００２８】
【図１】実施形態例１の展開図である。
【図２】実施形態例１の折畳み方法を示す図である。
【図３】実施形態例１の折畳み方法を示す図である。
【図４】実施形態例１の完成状態を示す図である。
【図５】実施形態例２の展開図である。
【図６】実施形態例２の折畳み方法を示す図である。
【図７】実施形態例２の折畳み方法を示す図である。
【図８】実施形態例２の完成状態を示す図である。
【図９】実施形態例３の展開図である。
【図１０】実施形態例３の折畳み方法を示す図である。
【図１１】実施形態例３の折畳み方法を示す図である。
【図１２】実施形態例３の完成状態を示す図である。
【符号の説明】
【００２９】
１      底面部
２      側面部
３      側面部
４      前方側面部
５      後方側面部
６      周縁部
７      周縁部
８      折込み部
９      前方折込み部
１０      後方折込み部
１１      巻き込み部
１２      保持部
１３      円形穴
１４      引っ掛け穴
１５      引っ掛け切れ込み
ａ      側面部  内折線
ｂ      側面部  内折線
ｃ      前方側面部  内折線
ｄ      後方側面部  内折線
ｅ      周縁部  外折線
ｆ      周縁部  外折線
ｇ      折込み部  外折線
ｈ      折込み部  外折線
ｉ      折込み部  内折線
ｊ      前方折込み部  外折線
ｋ      前方折込み部  内折線
ｌ      後方折込み部  外折線
ｍ      後方折込み部  内折線
ｎ      巻き込み部  外折線
ｏ      保持部  外折線
ｐ      周縁部  外辺
ｑ      折込み部外折線端部
ｒ      折込み部外折線端部
【図１】
0003142609.tif 000003
【図２】
0003142609.tif 000004
【図３】
0003142609.tif 000005
【図４】
0003142609.tif 000006
【図５】
0003142609.tif 000007
【図６】
0003142609.tif 000008
【図７】
0003142609.tif 000009
【図８】
0003142609.tif 000010
【図９】
0003142609.tif 000011
【図１０】
0003142609.tif 000012
【図１１】
0003142609.tif 000013
【図１２】
0003142609.tif 000014